(57)【要約】【課題】磁気層として磁気表示部における磁性粒子を磁気作用により配列させるための磁気表示データ層のみを有するカードにおいて、磁気表示部における磁性粒子が磁気表示データ層により鮮明で確かな表示となるように配列する磁気表示部を有した、カードの表面から裏面まで透けて見えるカードを提供する。【解決手段】透明なベースシートの一方の面に、貫通孔を有した透明な中間シートを配する。前記貫通孔に移動可能に少なくとも磁性粒子を挿入し、中間シート上に全体に透明な表面シートを配して、前記ベースシートと中間シートと表面シートを透明な接着剤により一体に固着する。前記磁性粒子を貫通孔に封入して磁気表示部とする。貫通孔の対向したベースシートの一方の面に、磁気表示データ層を設ける。【選択図】図２
2005107658.tif 000002
【特許請求の範囲】
【請求項１】
磁気表示部を有したカードであって、透明なベースシートの一方の面に、貫通孔を有した透明な中間シートを配し、前記貫通孔に移動可能に少なくとも磁性粒子を挿入し、中間シート上に全体に透明な表面シートを配して、前記ベースシートと中間シートと表面シートを透明な接着剤により一体に固着し、前記磁性粒子を貫通孔に封入して磁気表示部を設け、前記貫通孔に対向したベースシートの一方の面の部分に、前記磁性粒子を磁気作用により配列させるための磁気表示データ層を設け、カードの表面から裏面まで透けた磁気層として磁気表示データ層のみを有したことを特徴とする、磁気表示部を有したカード。
【請求項２】
前記磁気表示データ層上に、銀色又は白色系に着色した保護層を設けてなる、請求項１に記載の磁気表示部を有したカード。
【請求項３】
前記カードが、情報を記憶するためのＩＣチップを有したＩＣカード又は非接触ＩＣカードである、請求項１又は２に記載の磁気表示部を有したカード。
【発明の詳細な説明】
【技術分野】
【０００１】
本発明は、情報を目視可能に表示し及び表示を書き換え可能な磁気表示部を有したカードに関する。
【背景技術】
【０００２】
従来、磁気層を有したカードとして、情報を磁気情報として記録・再生・消去できる磁気記録層を有したキャッシュカードやプリペイドカード等の磁気カードが知られている。また、磁気記録情報を目視確認できるように文字化若しくは数字化等したものを可視画像として表示し、かつ表示の書き換えが可能な可視磁気カードが提案され提供されている。本願出願人においても、磁気表示データ層と光反射性ベースシートからなる磁気記録シートと少なくとも表示部が透明な表面シートとを対向してこの二枚のシート間に表示セルを形成し、この表示セルに磁性粒子と透明ないし白色の微粉末流動化剤との混合物を封入してなる可視磁気カードを、特開昭６１−２７３７８６号公報により提案している。
【０００３】
最近、カードにデータの記録及び演算処理をし、情報を記憶させる等のＩＣチップ等を埋め込んだ、いわゆるＩＣカード又は非接触ＩＣカードと呼ばれているものが注目を集めており、こうしたＩＣカードにおいても、前記したような磁性粒子を磁気作用により配列させて情報を可視画像として表示可能な磁気表示部を設けたものが、例えば特開平７−１７２０８４号等の公報により提案されている。
【０００４】
また、磁気表示部を有したカードの多方面への利用が考えられており、磁気層として、磁気カードに見られるような情報を磁気として記録、蓄積するための磁気記録層を備えず、磁気表示部における磁性粒子を磁気作用により配列させるための磁気表示データ層のみを有したカードの要求もある。
【０００５】
【特許文献１】特開昭６１−２７３７８６号公報
【特許文献２】特開平７−１７２０８４号公報
【発明の開示】
【発明が解決しようとする課題】
【０００６】
最近、外部壁を透明状態に形成し内部構造が透けて見えるデザインの商品が多方面で人気を呼んでおり、あらゆる商品において前記のようなデザインの商品が提供されている。本発明者はこうした事実に鑑み、ＩＣチップを装着したいわゆるＩＣカード又は非接触ＩＣカードと呼ばれているカード等において、カードの表面から裏面まで透けて見える（以下、単に「透明状態」という。）カードを提案することを思いついた。
【０００７】
本発明の目的は、磁気層として磁気表示部における磁性粒子を磁気作用により配列させるための磁気表示データ層のみを有するカードにおいて、磁気表示部における磁性粒子が磁気表示データ層により鮮明で確かな表示となるように配列する磁気表示部を有する、透明状態のカードを提供するものである。
【課題を解決するための手段】
【０００８】
本発明は、
「１．磁気表示部を有したカードであって、透明なベースシートの一方の面に、貫通孔を有した透明な中間シートを配し、前記貫通孔に移動可能に少なくとも磁性粒子を挿入し、中間シート上に全体に透明な表面シートを配して、前記ベースシートと中間シートと表面シートを透明な接着剤により一体に固着し、前記磁性粒子を貫通孔に封入して磁気表示部を設け、前記貫通孔に対向したベースシートの一方の面の部分に、前記磁性粒子を磁気作用により配列させるための磁気表示データ層を設け、カードの表面から裏面まで透けた磁気層として磁気表示データ層のみを有したことを特徴とする、磁気表示部を有したカード。
２．前記磁気表示データ層上に、銀色又は白色系に着色した保護層を設けてなる、１項に記載の磁気表示部を有したカード。
３．前記カードが、情報を記憶するためのＩＣチップを有したＩＣカード又は非接触ＩＣカードである、１項又は２項に記載の磁気表示部を有したカード。」
である。
【０００９】
本発明は、磁気表示データ層のみを有するカードにおいてカードの表面から裏面まで透けて見えるようにするものであるが、磁気表示部を有する磁気カードにおいては、前記したように、磁気層として磁気記録層と磁気表示データ層を設ける必要があり、磁気記録層と磁気表示データ層は黒色又は茶色系の色彩を有しており、磁気記録層と磁気表示データ層を兼用して用いるとしても磁気の帯は２つ必要になり、カード表面に占める磁気層の割合が大きくなり透明状態としての看者に与えるインパクトはさほど大きくなく、ＩＣカードや非接触ＩＣカードのような磁気記録層を有さない、磁気表示データ層のみを有するカードの方が、透明状態としての看者に与える印象は強く、顕著な効果があるからである。
【００１０】
磁気表示データ層は、磁性粒子を鮮明で確かな表示となるように配列させるために、ベースシートの磁気表示部を有する面側に、貫通孔に対向した部分に設ける。磁気表示データ層の大きさは、貫通孔に対して若干大きい形状でも、あるいは同等の形状でも、あるいは若干小さく形状でも良い。また、磁気表示データ層を保護するために保護層を設けたも良いが、磁気表示データ層は黒色又は茶色系の色彩であり磁性粒子の色彩は黒色系なので、磁性粒子の配列状態がわかりにくいので、磁気表示データ層上に設ける保護層は、銀色又は白色系に着色する。
【００１１】
本発明は、カードの表面から裏面まで透けたカードとするためにベースシート、中間シート及び表面シートを透明に形成するが、各シートにおいて表面及び／または裏面の略全面が不透明とならなければ、各シートの表面及び／または裏面に文字や模様等の印刷を施しても良い。
【発明の効果】
【００１２】
本発明は前述したような構造なので、磁気表示部における磁性粒子による表示も確かに鮮明に表示でき、カードの表面から裏面まで透けて見えるカードを得ることができた。また、磁気表示データ層を磁気表示部側のベースシートの面側に設けたので、磁性粒子を配列させるための磁気力において強いものが必要とならないので、製造コストも極力抑えることが可能となった。
【発明を実施するための最良の形態】
【００１３】
ベースシートを、透明な材質で形成する。磁性粒子を封入した磁気表示部は従来と同様にして設ければ良く、磁性粒子を配列させるための磁気表示データ層も従来のものと同様で良いが磁気表示部の対向したベースシートの面に設け、磁気表示データ層上に銀色又は白色系の保護層を設ける。
【００１４】
磁性粒子を配列させて表示を行う方法としては、一般的な方法として、中間シートの貫通孔に封入した磁性粒子を磁気表示データ層による磁気作用により磁気潜像に流下・吸引して表示を行う方法が有る。この場合、磁性粒子と共に微粉末の流動化剤と封入すると、磁性粒子の流動性が良くなり好ましい。磁性粒子としては、磁界中で強い磁性を示す高透磁率のものがよく、鉄、ニッケル、ステンレススチール、パーマロイ等の金属ないし合金系磁性材料や、四三酸化鉄、ガンマ酸化鉄、マンガン亜鉛フェライト等の酸化物系ないしフェライト系磁性材料が使用できる。微粉末流動化剤としては、無水ケイ酸、ケイ酸塩、シリコンレジン、酸化アルミニウム、酸化マグネシウム、炭酸カルシウム、塩基性炭酸マグネシウム、酸化チタンの無機微粉末や、酸化錫、酸化亜鉛、ヨウ化第１銅の導電性無機微粉末を含み、磁性粒子表面、及び表示セル器壁に均一に付着して磁性粒子同士、及び磁性粒子と表示セル器壁間の付着力、及び摩擦係数を減少させる性能を有するものである。尚、微粉末流動化剤は疎水処理の如き表面処理を施したものでもよい。粒子径は０．０１〜１ミクロンのものが好ましい。
【００１５】
他の方法として、従来知られているような、磁極を異なる色に着色して色分けした磁性粒子を、貫通孔を多数に分けた小室に封入して、磁気表示データ層の磁気作用により反転させて表示を行う方法がある。またさらに、フレーク状の磁性粒子を配向させ表示を行う方法がある。フレーク状の磁性粒子としては、鉄、ニッケル、ステンレス鋼等の磁性材質で板状のものが使用できる。本実施の形態は、フレーク状の磁性粒子の向きを変化させ、磁気表示部内に入射した光を反射させた部分と、透過させた部分のコントラストの差を生じさせることにより記録の表示および消去をさせるものである。
【実施例】
【００１６】
以下、本発明の実施例を図面を用いて説明する。カードの表面から裏面まで透けて見え、磁気表示部を有したカードとして非接触ＩＣカードで説明するが、これに限定されるものではない。
【００１７】
本実施例の非接触ＩＣカード１は、ベースシート２、中間シート３及び表面シート４で構成される。
【００１８】
ベースシート２は、撓み可能とするために５０μｍ厚の透明のＰＥＴ樹脂で形成してある。図２に示すように、ベースシート２の中間シート３を配設する側の表面２ａには、中間シート３の一方の短辺側３ａの近傍に、短辺３ａに沿って延ばして形成した貫通穴５と同等の形状で１０μｍのガンマ酸化鉄系の磁気表示データ層６を塗工し、更に該磁気表示データ層６上にポリエステル系のアルミフレークを含有するものからなる銀色の保護層７を２μｍの厚さとなるように塗工してある。
【００１９】
中間シート３は、透明のＰＥＴ樹脂からなり、２枚のシート部材８、９で構成してある。図４に示すように、シート部材８とシート部材９の間の貫通孔５より他方の短辺３ｂ側に寄った区域（図１を参照）に、プラスチックフイルム１０上にＩＣチップ１１やアンテナ１２からなる非接触ＩＣモジュール１３を固着したものを位置させ、シート部材８、９に設けたホットメルト接着剤層１４によりシート部材８とシート部材９を固着して、非接触ＩＣモジュール１３を内在させてある。
【００２０】
この中間シート３をベースシート２上に重ね、接着剤（図示せず）により一体に固着し、中間シート３の貫通孔５に、四三酸化鉄からなる磁性粒子１６と酸化珪素の無機微粉末からなる微粉末流動化剤１７の二成分を混合して挿入する。
【００２１】
次に、中間シート３上に、透明なＰＥＴ樹脂で形成した表面シート４を重ね接着剤により一体に固着して、前記磁性粒子１５と微粉末流動化剤１６を封入し、磁気表示部１７を有した、カードの表面から裏面まで透けて見える非接触ＩＣカード１を得た。
【産業上の利用可能性】
【００２２】
一般的なＩＣカードや非接触ＩＣカードに適用でき、磁気情報を可視画像として表示できる磁気表示部を備えているので、例えば、ホテルの客室ドアーのカードキーや交通手段等における料金支払いカード等に適用でき、支払った運賃料金を表示可能となる。
【図面の簡単な説明】
【００２３】
【図１】本実施例の非接触ＩＣカードの全体を示した正面図である。
【図２】本実施例の非接触ＩＣカードの分解斜視図である。
【図３】本実施例の非接触ＩＣカードの中間シートにおける、概略を示す拡大断面図である。
【図４】本実施例の非接触ＩＣカードにおける、磁気表示部分の要部の拡大縦断面図である。
【符号の説明】
【００２４】
１    非接触ＩＣカード
２    ベースシート
３    中間シート
４    表面シート
５    貫通孔
６    磁気表示データ層
７    保護層
１５    磁性粒子
１７    磁気表示部
【図１】
2005107658.tif 000003
【図２】
2005107658.tif 000004
【図３】
2005107658.tif 000005
【図４】
2005107658.tif 000006